(57)【特許請求の範囲】
【請求項１】
電話機を収容する主装置であって、
複数の情報端末のアドレス情報を前記電話機に紐付けて記憶する端末情報記憶手段と、
前記情報端末より、当該情報端末に紐付ける前記電話機の指定を伴うペアリング要求および当該情報端末への紐付けを解除する前記電話機の指定を伴うペアリング解除要求を受信する受信手段と、
前記受信手段が前記ペアリング要求を受信した場合に、前記端末情報記憶手段に、当該ペアリング要求の送信元である前記情報端末のアドレス情報を、当該ペアリング要求で指定されている前記電話機に紐付けて登録し、前記受信手段が前記ペアリング解除要求を受信した場合に、前記端末情報記憶手段から、当該ペアリング解除要求で指定されている前記電話機に紐付けられて登録されている、当該ペアリング解除要求の送信元である前記情報端末のアドレス情報を削除する登録手段と、
前記電話機の電話番号が発信先番号として指定され、かついずれかの前記情報端末のユーザが通話相手として指定された接続要求を受信した場合に、当該電話機に紐付けられて前記端末情報記憶手段に記憶されているすべてのアドレス情報により特定される前記情報端末各々に、当該電話機の電話番号および当該接続要求にて通話相手として指定されている前記情報端末のユーザを含む着信通知を送信する着信通知送信手段と、を有する
ことを特徴とする主装置。
【請求項２】
コンピュータで読み取り可能なプログラムであって、
前記プログラムは、電話機を収容する主装置として前記コンピュータを機能させ、
前記主装置は、
複数の情報端末のアドレス情報を前記電話機に紐付けて記憶する端末情報記憶手段と、
前記情報端末より、当該情報端末に紐付ける前記電話機の指定を伴うペアリング要求および当該情報端末への紐付けを解除する前記電話機の指定を伴うペアリング解除要求を受信する受信手段と、
前記受信手段が前記ペアリング要求を受信した場合に、前記端末情報記憶手段に、当該ペアリング要求の送信元である前記情報端末のアドレス情報を、当該ペアリング要求で指定されている前記電話機に紐付けて登録し、前記受信手段が前記ペアリング解除要求を受信した場合に、前記端末情報記憶手段から、当該ペアリング解除要求で指定されている前記電話機に紐付けられて登録されている、当該ペアリング解除要求の送信元である前記情報端末のアドレス情報を削除する登録手段と、
前記電話機の電話番号が発信先番号として指定され、かついずれかの前記情報端末のユーザが通話相手として指定された接続要求を受信した場合に、当該電話機に紐付けられて前記端末情報記憶手段に記憶されているすべてのアドレス情報により特定される前記情報端末各々に、当該電話機の電話番号および当該接続要求にて通話相手として指定されている前記情報端末のユーザを含む着信通知を送信する着信通知送信手段と、を有する
ことを特徴とするプログラム。
【請求項３】
主装置に収容された電話機への着信通知方法であって、
前記主装置は、
複数の情報端末のアドレス情報を前記電話機に紐付けて記憶する端末情報記憶手段を有しており、
前記情報端末より、当該情報端末に紐付ける前記電話機の指定を伴うペアリング要求を受信した場合に、当該ペアリング要求の送信元である前記情報端末のアドレス情報を、当該ペアリング要求で指定されている前記電話機に紐付けて、前記端末情報記憶手段に登録し、
前記情報端末より、当該情報端末への紐付けを解除する前記電話機の指定を伴うペアリング解除要求を受信した場合に、前記端末情報記憶手段から、当該ペアリング解除要求で指定されている前記電話機に紐付けられて登録されている、当該ペアリング解除要求の送信元である前記情報端末のアドレス情報を削除し、
前記電話機の電話番号が発信先番号として指定され、かついずれかの前記情報端末のユーザが通話相手として指定された接続要求を受信した場合に、当該電話機に紐付けられて前記端末情報記憶手段に記憶されているすべてのアドレス情報により特定される前記情報端末各々に、当該電話機の電話番号および当該接続要求にて通話相手として指定されている前記情報端末のユーザを含む着信通知を送信し、
前記情報端末は、
前記着信通知を受信した場合に、当該着信通知に含まれている前記情報端末のユーザに対する電話呼が、当該着信通知に含まれている電話番号により特定される前記電話機に着信中であることを知らせるメッセージを表示する
ことを特徴とする着信通知方法。
【発明の詳細な説明】
【技術分野】
【０００１】
本発明は、主装置の着信通知技術に関する。
【背景技術】
【０００２】
特許文献１には、複数ユーザで共用する電話機に着信した場合でも、この着信に応答するまでに誰宛の着信であるかを確認できる電話交換システムが開示されている。この電話交換システムは、電話機と、複数ユーザにそれぞれ割り当てられた電話番号毎に用意された仮想ＩＰ電話機と、を有する。そして、外部からの電話呼をこの電話呼の発信先番号に割り当てられた仮想ＩＰ電話機に一旦着信させ、それから電話機に転送させる。これにより、電話機のディスプレイに発信者番号として表示される仮想ＩＰ電話機の電話番号により誰宛の着信であるかを確認することができる。
【先行技術文献】
【特許文献】
【０００３】
【特許文献１】特開２０１２−２９２６５号公報
【発明の概要】
【発明が解決しようとする課題】
【０００４】
しかしながら、特許文献１に記載の電話交換システムでは、ユーザは、電話機の近くまで移動して、電話機のディスプレイに表示されている発信者番号を確認しなければ、誰宛の着信であるかを確認することができない。
【０００５】
本発明は上記事情に鑑みてなされたものであり、本発明の目的は、電話機から離れた場所にいる場合でも、その電話機への着信が誰宛の着信であるかを確認可能な技術を提供することにある。
【課題を解決するための手段】
【０００６】
上記課題を解決するために、本発明では、主装置に、この主装置が収容する電話機に紐付けられた一以上の情報端末のアドレス情報を記憶しておく。そして、主装置は、この主装置が収容するいずれかの電話機を発信先とし、通話相手の指定を伴う接続要求を受信したならば、この電話機に紐付けられている各情報端末に、この電話機の識別情報およびこの接続要求で指定されている通話相手の情報を含む着信通知を送信する。これにより、これらの情報端末に、着信通知に含まれている情報により特定される通話相手に対する電話呼が、着信通知に含まれている識別情報により特定される電話機に着信中であることを知らせる。
【０００７】
例えば、本発明は、電話機を収容する主装置であって、
複数の情報端末のアドレス情報を前記電話機に紐付けて記憶する端末情報記憶手段と、
前記情報端末より、当該情報端末に紐付ける前記電話機の指定を伴うペアリング要求および当該情報端末への紐付けを解除する前記電話機の指定を伴うペアリング解除要求を受信する受信手段と、
前記受信手段が前記ペアリング要求を受信した場合に、前記端末情報記憶手段に、当該ペアリング要求の送信元である前記情報端末のアドレス情報を、当該ペアリング要求で指定されている前記電話機に紐付けて登録し、前記受信手段が前記ペアリング解除要求を受信した場合に、前記端末情報記憶手段から、当該ペアリング解除要求で指定されている前記電話機に紐付けられて登録されている、当該ペアリング解除要求の送信元である前記情報端末のアドレス情報を削除する登録手段と、
前記電話機の電話番号が発信先番号として指定され、かついずれかの前記情報端末のユーザが通話相手として指定された接続要求を受信した場合に、当該電話機に紐付けられて前記端末情報記憶手段に記憶されているすべてのアドレス情報により特定される前記情報端末各々に、当該電話機の電話番号および当該接続要求にて通話相手として指定されている前記情報端末のユーザを含む着信通知を送信する着信通知送信手段と、を有する
ことを特徴とする。
【発明の効果】
【０００８】
本発明によれば、電話機に対する着信を、通話相手の情報とともに、この電話機に紐付けられた情報端末に知らせることができるので、電話機から離れた場所にいる場合でも、その電話機への着信が誰宛の着信であるかを確認することができる。
【図面の簡単な説明】
【０００９】
【図１】図１は、本発明の一実施の形態に係る内線電話システムの概略構成図である。
【図２】図２は、本実施の形態に係る内線電話システムのペアリング動作を説明するためのシーケンス図である。
【図３】図３は、本実施の形態に係る内線電話システムの着信動作を説明するためのシーケンス図である。
【図４】図４は、主装置１の概略構成図である。
【図５】図５は、ユーザ情報記憶部１３の登録内容例を模式的に表した図である。
【図６】図６は、ペアリング情報記憶部１４の登録内容例を模式的に表した図である。
【図７】図７は、主装置１の動作を説明するためのフロー図である。
【図８】図８は、図７に示す着信通知処理（Ｓ２３）を説明するためのフロー図である。
【図９】図９は、内線電話機２の概略構成図である。
【図１０】図１０は、内線電話機２の番号通知動作を説明するためのフロー図である。
【図１１】図１１は、内線電話機２の発信動作を説明するための図である。
【図１２】図１２は、情報端末３の概略構成図である。
【図１３】図１３は、情報端末３の動作を説明するためのフロー図である。
【発明を実施するための形態】
【００１０】
以下に、本発明の一実施の形態について説明する。
【００１１】
図１は、本実施の形態に係る内線電話システムの概略構成図である。
【００１２】
図示するように、本実施の形態に係る内線電話システムは、ＩＰ電話網６に接続された主装置１と、主装置１に収容された複数の内線電話機２−１、２−２（以下、単に内線電話機２とも呼ぶ）と、複数の情報端末３−１〜３−３（以下、単に情報端末３とも呼ぶ）と、を備えて構成されている。主装置１および内線電話機２は、ＬＡＮ５に接続され、情報端末３は、無線アクセスポイント４を介してＬＡＮ５に接続されている。また、内線電話機２および情報端末３は、近距離無線通信により互いに通信可能に構成されている。
【００１３】
ここで、内線電話機２−１、２−２は、それぞれ、内線番号「００１」、「００２」が割り当てられており、第一会議室、第二会議室に設置されているものとする。情報端末３−１〜３−３は、スマートホン、ＰＤＡ等の携帯端末であり、それぞれ、ユーザＡ〜Ｃにより所持されているものとする。また、情報端末３は、後述のペアリング動作により、いずれかの内線電話機２に紐付けされる。
【００１４】
主装置１は、内線電話機２と連携して呼制御を実施することにより、内線電話機２とＩＰ電話網６との間、あるいは内線電話機２−１と内線電話機２−２との間に通話路を確立・解放する。また、主装置１は、内線電話機２を発信先とし、通話相手の指定を伴う接続要求を受信した場合に、発信先の内線電話機２の内線番号および通話相手の情報を含む着信通知メッセージを、この内線電話機２に紐付けられている情報端末３に送信する。これにより、接続要求で指定されている通話相手に対する電話呼が、この接続要求の発信先の内線電話機２に着信中である旨のメッセージを、この内線電話機２に紐付けられている情報端末３に表示させる。
【００１５】
図２は、本実施の形態に係る内線電話システムのペアリング動作を説明するためのシーケンス図である。ここでは、第一会議室に設置された内線電話機２−１に情報端末３−１、３−２が紐付けられ、第二会議室に設置された内線電話機２−２に情報端末３−３が紐付けられる場合の動作例を示している。
【００１６】
まず、ユーザＡが第一会議室に入室して内線電話機２−１に近づくことにより、ユーザＡ所有の情報端末３−１が内線電話機２−１と近距離無線通信可能になったものとする。情報端末３−１は、ユーザＡからペアリング要求操作を受け付けると（Ｓ１００）、近距離無線通信により内線電話機２−１に番号要求を送信する（Ｓ１０１）。これを受けて、内線電話機２−１は、自身の内線番号［００１］を含む番号通知を近距離無線通信により情報端末３−１に送信する（Ｓ１０２）。
【００１７】
情報端末３−１は、内線電話機２−１から番号通知を受信すると、この番号通知に含まれている内線電話機２−１の内線番号［００１］を含むペアリング要求を生成し、このペアリング要求を、ＬＡＮ５を介して主装置１に送信する（Ｓ１０３）。これを受けて、主装置１は、ペアリング要求送信元の情報端末３−１のアドレス情報を、ペアリング要求に含まれている内線電話機２−１の内線番号［００１］に紐付けて登録する。これにより、内線電話機２−１と情報端末３−１とのペアリング登録を実施する（Ｓ１０４）。
【００１８】
同様に、ユーザＢが第一会議室に入室して内線電話機２−１に近づくことにより、ユーザＢ所有の情報端末３−２が内線電話機２−１と近距離無線通信可能になったものとする。情報端末３−２は、ユーザＢからペアリング要求操作を受け付けると（Ｓ１０５）、近距離無線通信により内線電話機２−１に番号要求を送信する（Ｓ１０６）。これを受けて、内線電話機２−１は、自身の内線番号［００１］を含む番号通知を近距離無線通信により情報端末３−２に送信する（Ｓ１０７）。
【００１９】
情報端末３−２は、内線電話機２−１から番号通知を受信すると、この番号通知に含まれている内線電話機２−１の内線番号［００１］を含むペアリング要求を生成し、このペアリング要求を、ＬＡＮ５を介して主装置１に送信する（Ｓ１０８）。これを受けて、主装置１は、ペアリング要求送信元の情報端末３−２のアドレス情報を、ペアリング要求に含まれている内線電話機２−１の内線番号［００１］に紐付けて登録する。これにより、内線電話機２−１と情報端末３−２とのペアリング登録を実施する（Ｓ１０９）。
【００２０】
つぎに、ユーザＣが第二会議室に入室して内線電話機２−２に近づくことにより、ユーザＣ所有の情報端末３−３が内線電話機２−２と近距離無線通信可能になったものとする。情報端末３−３は、ユーザＣからペアリング要求操作を受け付けると（Ｓ１１０）、近距離無線通信により内線電話機２−２に番号要求を送信する（Ｓ１１１）。これを受けて、内線電話機２−２は、自身の内線番号［００２］を含む番号通知を近距離無線通信により情報端末３−３に送信する（Ｓ１１２）。
【００２１】
情報端末３−３は、内線電話機２−２から番号通知を受信すると、この番号通知に含まれている内線電話機２−２の内線番号［００２］を含むペアリング要求を生成し、このペアリング要求を、ＬＡＮ５を介して主装置１に送信する（Ｓ１１３）。これを受けて、主装置１は、ペアリング要求送信元の情報端末３−３のアドレス情報を、ペアリング要求に含まれている内線電話機２−２の内線番号［００２］に紐付けて登録する。これにより、内線電話機２−２と情報端末３−３とのペアリング登録を実施する（Ｓ１１４）。
【００２２】
以上により、第一会議室に設置された内線電話機２−１に情報端末３−１、３−２が紐付けられ、第二会議室に設置された内線電話機２−２に情報端末３−３が紐付けられる。
【００２３】
図３は、本実施の形態に係る内線電話システムの着信動作を説明するためのシーケンス図である。ここでは、内線電話機２−２から内線電話機２−１に電話をかけた場合の動作例を示している。なお、ユーザＡ、Ｂは第一会議室に入室しており、第一会議室に設置された内線電話機２−１にユーザＡ、Ｂの情報端末３−１、３−２が紐付けられ、ユーザＣは第二会議室に入室しており、第二会議室に設置された内線電話機２−２にユーザＣの情報端末３−３が紐付けられているものとする。
【００２４】
内線電話機２−２は、第二会議室に入室中のユーザＣから、発信先番号「００１」および通話相手「ユーザＡ」の指定を伴う発信操作を受け付けると（Ｓ１２０）、発信先番号「００１」および通話相手「ユーザＡ」の指定を伴う接続要求を生成し、この接続要求を、ＬＡＮ５を介して主装置１に送信する（Ｓ１２１）。
【００２５】
主装置１は、内線電話機２−２から接続要求を受信すると、この接続要求で指定されている発信先番号「００１」により特定される内線電話機２−１に、ＬＡＮ５を介して発信する（Ｓ１２２）。これを受けて、内線電話機２−１は着信鳴動を開始する（Ｓ１２３）。
【００２６】
また、主装置１は、接続要求で指定されている発信先番号「００１」および通話相手「ユーザＡ」の情報を含む着信通知メッセージを生成する。そして、接続要求で指定されている発信先番号「００１」に紐付けられて登録されているアドレス情報により特定される情報端末３−１、３−２に、この着信通知メッセージを、ＬＡＮ５を介して送信する（Ｓ１２４、Ｓ１２６）。これを受けて、情報端末３−１、３−２は、「ユーザＡ」に対する電話呼が、発信先番号「００１」により特定される内線電話機２−１に着信中であることを知らせる着信表示を実施する（Ｓ１２５、Ｓ１２７）。
【００２７】
以上により、第一会議室に入室中のユーザＡ、Ｂは、自身の情報端末３−１、３−２の着信表示を介して、第一会議室に設置された内線電話機２−１に対する着信がユーザＡ宛であることを確認することができる。
【００２８】
つぎに、本実施の形態に係る内線電話システムを構成する主装置１、内線電話機２、および情報端末３の詳細を説明する。
【００２９】
まず、主装置１について説明する。
【００３０】
図４は、主装置１の概略構成図である。
【００３１】
図示するように、主装置１は、ＬＡＮインターフェース部１０と、ＩＰ電話網インターフェース部１１と、呼制御部１２と、ユーザ情報記憶部１３と、ペアリング情報記憶部１４と、ペアリング要求・解除要求受信部１５と、ペアリング登録処理部１６と、着信通知処理部１７と、を備えている。
【００３２】
ＬＡＮインターフェース部１０は、ＬＡＮ５を介して内線電話機２および情報端末３に接続するためのインターフェースである。
【００３３】
ＩＰ電話網インターフェース部１１は、ＩＰ電話網６に接続するためのインターフェースである。
【００３４】
呼制御部１２は、内線電話機２と連携して呼制御を実施することにより、内線電話機２とＩＰ電話網６との間、あるいは内線電話機２−１と内線電話機２−２との間に通信路を確立・解放する。
【００３５】
ユーザ情報記憶部１３には、内線電話システムのユーザ情報が記憶されている。図５は、ユーザ情報記憶部１３の登録内容例を模式的に表した図である。図示するように、ユーザ情報記憶部１３には、内線電話システムのユーザ毎にレコード１３０が記憶されている。レコード１３０は、ユーザの識別情報であるユーザＩＤを登録するフィールド１３１と、ユーザ名を登録するフィールド１３２と、を有する。
【００３６】
ペアリング情報記憶部１４には、ペアリング登録された内線電話機２および情報端末３の情報が記憶される。図６は、ペアリング情報記憶部１４の登録内容例を模式的に表した図である。図示するように、ペアリング情報記憶部１４には、ペアリング登録された内線電話機２および情報端末３の組合せ毎にレコード１４０が登録される。レコード１４０は、内線電話機２の内線番号を登録するフィールド１４１と、ペアリング登録によりこの内線電話機２に紐付けられた情報端末３の端末ＩＤを登録するフィールド１４２と、この情報端末３のアドレス情報を登録するフィールド１４３と、を有する。
【００３７】
ペアリング要求・解除要求受信部１５は、ＬＡＮインターフェース部１０を介して情報端末３から、情報端末３の端末ＩＤおよび内線電話機２の内線番号の指定を伴うペアリング要求あるいはペアリング解除要求を受信する。
【００３８】
ペアリング登録処理部１６は、ペアリング要求・解除要求受信部１５がペアリング要求を受信した場合に、このペアリング要求で指定されている情報端末３の端末ＩＤおよび内線電話機２の内線番号を含むレコード１４０をペアリング情報記憶部１４に登録する。また、ペアリング要求・解除要求受信部１５がペアリング解除要求を受信した場合に、このペアリング解除要求で指定されている情報端末３の端末ＩＤおよび内線電話機２の内線番号を含むレコード１４０をペアリング情報記憶部１４から削除する。
【００３９】
着信通知処理部１７は、内線電話機２を発信先とする接続要求が呼制御部１２によって処理された場合に、ユーザ情報記憶部１３およびペアリング情報記憶部１４を参照して、接続要求で指定されたユーザに対する電話呼が接続要求の発信先の内線電話機２に着信したことを知らせる着信通知メッセージを、この内線電話機２に紐付けられた情報端末３に送信する。
【００４０】
図７は、主装置１の動作を説明するためのフロー図である。なお、本フローは、主装置１の電源が投入され、呼制御部１２が呼制御に係る呼制御メッセージを送受信可能な状態となり、かつペアリング要求・解除要求受信部１５がペアリング要求あるいはペアリング解除要求を受信可能な状態となることにより開始される。
【００４１】
呼制御部１２は、ＬＡＮインターフェース部１０を介して内線電話機２から、あるいはＩＰ電話網インターフェース部１１を介してＩＰ電話網６から呼制御メッセージを受信すると（Ｓ２０でＹＥＳ）、ＳＩＰ（Ｓｅｓｓｉｏｎ  Ｉｎｉｔｉａｔｉｏｎ  Ｐｒｏｔｏｃｏｌ）等の呼制御プロトコルに従い、この受信した呼制御メッセージに応じた処理を実施する（Ｓ２１）。
【００４２】
つぎに、呼制御部１２は、受信した呼制御メッセージが、内線電話機２の内線番号を発信先番号とし、通話相手のユーザＩＤの指定を伴う接続要求であるか否かを判断する（Ｓ２２）。内線電話機２の内線番号を発信先番号とし、通話相手のユーザＩＤの指定を伴う接続要求であるならば（Ｓ２２でＹＥＳ）、この接続要求で指定されている発信先番号およびユーザＩＤを着信通知処理部１７に渡す。これを受けて、着信通知処理部１７は、後述の着信通知処理を実施する（Ｓ２３）。
【００４３】
また、ペアリング要求・解除要求受信部１５は、ＬＡＮインターフェース部１０を介して情報端末３からペアリング要求を受信すると（Ｓ２４でＹＥＳ）、このペアリング要求で指定されている内線番号および端末ＩＤと、このペアリング要求の送信元である情報端末３のアドレス情報と、をペアリング登録処理部１６に渡して、ペアリング登録処理部１６にペアリング登録を指示する。これを受けて、ペアリング登録処理部１６は、ペアリング情報記憶部１４に新たなレコード１４０を追加する。そして、このレコード１４０のフィールド１４１〜１４３に、それぞれ、ペアリング要求・解除要求受信部１５から受け取った内線番号、端末ＩＤ、アドレス情報を登録する（Ｓ２５）。
【００４４】
また、ペアリング要求・解除要求受信部１５は、ＬＡＮインターフェース部１０を介して情報端末３からペアリング解除要求を受信すると（Ｓ２６でＹＥＳ）、このペアリング解除要求で指定されている内線番号および端末ＩＤをペアリング登録処理部１６に渡して、ペアリング登録処理部１６にペアリング解除を指示する。これを受けて、ペアリング登録処理部１６は、ペアリング要求・解除要求受信部１５から受け取った内線番号、端末ＩＤがそれぞれフィールド１４１、１４２に登録されているレコード１４０をペアリング情報記憶部１４から検索する。そして、該当するレコードが検索された場合、このレコード１４０をペアリング情報記憶部１４から削除する（Ｓ２７）。
【００４５】
図８は、図７に示す着信通知処理（Ｓ２３）を説明するためのフロー図である。
【００４６】
まず、着信通知処理部１７は、ペアリング情報記憶部１４を参照し、呼制御部１２より受け取った発信先番号により特定される内線電話機２に紐付けされている情報端末３を検索する（Ｓ２３０）。具体的には、呼制御部１２より受け取った発信先番号がフィールド１４１に登録されているレコード１４０をペアリング情報記憶部１４から検索し、このレコード１４０のフィールド１４２、１４３に登録されている端末ＩＤ、アドレス情報により特定される情報端末３を、呼制御部１２より受け取った発信先番号により特定される内線電話機２に紐付けされた情報端末３として特定する。
【００４７】
ここで、呼制御部１２より受け取った発信先番号により特定される内線電話機２に紐付けされた情報端末３が検索されなかった場合（Ｓ２３１でＮＯ）、図７のＳ２０に戻る。
【００４８】
一方、呼制御部１２より受け取った発信先番号により特定される内線電話機２に紐付けされた情報端末３が検索された場合（Ｓ２３１でＹＥＳ）、着信通知処理部１７は、ユーザ情報記憶部１３を参照し、呼制御部１２より受け取ったユーザＩＤにより特定されるユーザ名を特定する（Ｓ２３２）。具体的には、呼制御部１２より受け取ったユーザＩＤがフィールド１３１に登録されているレコード１３０をユーザ情報記憶部１３から検索し、このレコード１３０のフィールド１３２に登録されているユーザ名を取得する。
【００４９】
それから、着信通知処理部１７は、呼制御部１２より受け取った発信先番号および呼制御部１２より受け取ったユーザＩＤにより特定されるユーザ名を含む着信通知メッセージを生成する（Ｓ２３３）。そして、呼制御部１２より受け取った発信先番号により特定される内線電話機２に紐付けられた情報端末３各々に、この着信通知メッセージを送信する（Ｓ２３４）。具体的には、Ｓ２３０で検索されたレコード１４０のフィールド１４３に登録されているアドレス情報を送信先アドレスとする着信通知メッセージを、ＬＡＮインターフェース部１０からＬＡＮ５に送信する。その後、図７のＳ２０に戻る。
【００５０】
つぎに、内線電話機２について説明する。
【００５１】
図９は、内線電話機２の概略構成図である。
【００５２】
図示するように、内線電話機２は、ＬＡＮインターフェース部２０と、マンマシンインターフェース部２１と、電話帳データ記憶部２２と、ユーザ情報記憶部２３と、内線電話処理部２４と、近距離無線通信部２５と、番号情報抽出部２６と、番号通知部２７と、を備えている。
【００５３】
ＬＡＮインターフェース部２０は、ＬＡＮ５を介して主装置１に接続するためのインターフェースである。
【００５４】
マンマシンインターフェース部２１は、ユーザが電話および各種操作を行うためのインターフェースであり、図示していないが、マイクと、スピーカと、ダイヤルキー、外線ボタン等の操作部と、ＬＣＤ、ＬＥＤ等のディスプレイと、を備えている。
【００５５】
電話帳データ記憶部２２には、電話番号毎に、対象の電話番号が割り当てられた電話機のユーザ情報を含む電話帳データが記憶されている。
【００５６】
ユーザ情報記憶部２３には、図５に示す主装置１のユーザ情報記憶部１３と同様に、内線電話システムのユーザ情報が記憶されている。
【００５７】
内線電話処理部２４は、内線電話機として動作するために必要な処理を行う。具体的には、ＳＩＰ等の呼制御プロトコルに従い、主装置１と呼制御メッセージをやり取りすることにより、通信路を確立・解放する。また、ＲＴＰ（Ｒｅａｌｔｉｍｅ  Ｔｒａｎｓｐｏｒｔ  Ｐｒｏｔｏｃｏｌ）等の伝送プロトコルに従い、マンマシンインターフェース部２１を介してユーザにより音声入力された音声信号を通話データに符号化し、この通話データを通信路経由で通話相手の電話機に送信するとともに、通話相手の電話機から通信路経由で通話データを受信し、この通話データを音声信号に復号してマンマシンインターフェース部２１から音声出力する。
【００５８】
近距離無線通信部２５は、ＲＦＩＤ（Ｒａｄｉｏ  Ｆｒｅｑｕｅｎｃｙ  Ｉｄｅｎｔｉｆｉｃａｔｉｏｎ）、ＩｒＤＡ（Ｉｎｆｒａｒｅｄ  Ｄａｔａ  Ａｓｓｏｃｉａｔｉｏｎ）、Ｂｌｕｅｔｏｏｔｈ（登録商標）等の近距離無線通信により、自内線電話機２の近傍に存在する情報端末３と通信を行う。
【００５９】
番号情報抽出部２６は、内線電話処理部２４に自内線電話機２の内線番号が設定されると、当該内線番号を抽出して記憶する。
【００６０】
番号通知部２７は、番号情報抽出部２６に記憶されている自内線電話機２の内線番号を含む番号通知を近距離無線通信部２５から送信する。
【００６１】
図１０は、内線電話機２の番号通知動作を説明するためのフロー図である。
【００６２】
番号通知部２７は、近距離無線通信部２５を介して情報端末３から番号要求を受信すると（Ｓ３０でＹＥＳ）、番号情報抽出部２６から自内線電話機２の内線番号を読み出して、この内線番号を含む番号通知を生成する（Ｓ３１）。そして、番号通知部２７は、近距離無線通信部２５を介して、番号要求の送信元である情報端末３に、この番号通知を送信する（Ｓ３２）。
【００６３】
図１１は、内線電話機２の発信動作を説明するための図である。このフローは、内線電話処理部２４がマンマシンインターフェース部２１を介してユーザから発信操作を受け付けることにより開始される。なお、内線電話機２が主装置１と連携して行うその他の呼制御動作は、既存の内線電話機の動作と同様であるので、その詳細な説明を省略する。
【００６４】
まず、内線電話処理部２４は、電話帳データ記憶部２２に記憶されている電話帳データをマンマシンインターフェース部２１に表示して（Ｓ４０）、ユーザから発信先番号の指定を受け付ける（Ｓ４１）。
【００６５】
つぎに、内線電話処理部２４は、ユーザから受け付けた発信先番号の番号体系、あるいは、ユーザから受け付けた発信先番号に対応して電話帳データに登録されている番号種別等に基づいて、この発信先番号が内線番号であるか否かを判断する（Ｓ４２）。ユーザから受け付けた発信先番号が内線番号でない場合（Ｓ４２でＮＯ）、内線電話処理部２４は、この発信先番号の指定を伴う接続要求を生成して（Ｓ４３）、この接続要求を、ＬＡＮインターフェース部２０を介して主装置１に送信する（Ｓ４７）。
【００６６】
一方、ユーザから受け付けた発信先番号が内線番号である場合（Ｓ４２でＹＥＳ）、内線電話処理部２４は、ユーザ情報記憶部２３に記憶されているユーザ情報の一覧をマンマシンインターフェース部２１に表示して（Ｓ４４）、ユーザから通話相手の指定を受け付ける（Ｓ４５）。それから、内線電話処理部２４は、発信先番号およびユーザが指定した通話相手のユーザＩＤの指定を伴う接続要求を生成して（Ｓ４６）、この接続要求を、ＬＡＮインターフェース部２０を介して主装置１に送信する（Ｓ４７）。
【００６７】
つぎに、情報端末３について説明する。
【００６８】
図１２は、情報端末３の概略構成図である。
【００６９】
図示するように、情報端末３は、ＬＡＮインターフェース部３０と、マンマシンインターフェース部３１と、近距離無線通信部３２と、内線番号取得部３３と、ペアリング操作受付部３４と、ペアリング要求・解除要求送信部３５と、ペアリング番号記憶部３６と、着信通知受信部３７と、着信通知表示部３８と、を備えている。
【００７０】
ＬＡＮインターフェース部３０は、ＬＡＮ５を介して主装置１に接続するためのインターフェースである。
【００７１】
マンマシンインターフェース部３１は、ユーザから操作を受け付けたり、ユーザに情報を表示したりするためのインターフェースであり、図示していないが、キーボード、マウス、タッチセンサ等の入力装置と、ＬＣＤ、ＬＥＤ等の表示装置と、を備えている。
【００７２】
近距離無線通信部３２は、ＲＦＩＤ、ＩｒＤＡ、Ｂｌｕｅｔｏｏｔｈ（登録商標）等の近距離無線通信により、自情報端末３の近傍に存在する内線電話機２と通信を行う。
【００７３】
内線番号取得部３３は、近距離無線通信部３２から番号要求を送信し、その応答として番号通知を受信する。
【００７４】
ペアリング操作受付部３４は、マンマシンインターフェース部３１を介してユーザから、ペアリング要求操作およびペアリング解除要求操作を受け付ける。
【００７５】
ペアリング要求・解除要求送信部３５は、ペアリング操作受付部３４により受け付けたペアリング要求操作に従い、ＬＡＮインターフェース部３０を介して主装置１にペアリング要求を送信する。また、ペアリング操作受付部３４により受け付けたペアリング解除要求操作に従い、ＬＡＮインターフェース部３０を介して主装置１にペアリング解除要求を送信する。
【００７６】
ペアリング番号記憶部３６は、自情報端末３に紐付ける内線電話機２の内線番号であるペアリング番号を記憶する。
【００７７】
着信通知受信部３７は、ＬＡＮインターフェース部３０を介して主装置１から着信通知メッセージを受信する。
【００７８】
着信通知表示部３８は、着信通知受信部３７が受信した着信通知メッセージに従いマンマシンインターフェース部３１に着信通知を表示する。
【００７９】
図１３は、情報端末３の動作を説明するためのフロー図である。なお、本フローは、情報端末３の電源が投入され、ペアリング操作受付部３４がペアリング要求操作またはペアリング解除要求操作を受付可能な状態となり、かつ着信通知受信部３７が着信通知メッセージを受信可能な状態となることにより開始される。
【００８０】
ペアリング操作受付部３４は、マンマシンインターフェース部３１を介してユーザからペアリング要求操作を受け付けると（Ｓ５０でＹＥＳ）、その旨をペアリング要求・解除要求送信部３５に知らせる。これを受けて、ペアリング要求・解除要求送信部３５は、ペアリング番号記憶部３６にペアリング番号が登録されているか否かを調べる（Ｓ５１）。ペアリング番号が登録されている場合は（Ｓ５１でＹＥＳ）、自情報端末３に紐付けられている内線電話機２が存在するため、ペアリング要求操作に先立ってペアリング解除操作が必要である旨をマンマシンインターフェース部３１に表示するなどのエラー処理を実施する（Ｓ５２）。
【００８１】
一方、ペアリング番号が登録されていない場合（Ｓ５１でＮＯ）、ペアリング要求・解除要求送信部３５は、内線番号取得部３３に内線番号の取得を指示する。これを受けて、内線番号取得部３３は、近距離無線通信部３２に内線電話機２との通信を指示する。近距離無線通信部３２は、内線番号取得部３３の指示に従い内線電話機２との通信を試みる。そして、その通信可否結果を内線番号取得部３３に知らせる。
【００８２】
内線番号取得部３３は、近距離無線通信部３２から受け取った通信可否結果が内線電話機２との通信不可能を示している場合（Ｓ５３でＮＯ）、その旨を、ペアリング要求・解除要求送信部３５に知らせる。これを受けて、ペアリング要求・解除要求送信部３５は、内線電話機２との近距離無線通信ができない旨をマンマシンインターフェース部３１に表示するなどのエラー処理を実施する（Ｓ５４）。
【００８３】
一方、内線番号取得部３３は、近距離無線通信部３２から受け取った通信可否結果が内線電話機２との通信可能を示している場合（Ｓ５３でＹＥＳ）、近距離無線通信部３２を介して、近距離無線通信部３２と通信可能な内線電話機２に番号要求を送信する。そして、この内線電話機２から番号通知を受信して、この番号通知に含まれている内線番号を取得する（Ｓ５５）。それから、取得した内線番号をペアリング要求・解除要求送信部３５に知らせる。
【００８４】
つぎに、ペアリング要求・解除要求送信部３５は、内線番号取得部３３から受け取った内線番号および自情報端末３の端末ＩＤの指定を伴うペアリング要求を生成し、このペアリング要求を、ＬＡＮインターフェース部３０を介して主装置１に送信する（Ｓ５６）。それから、ペアリング要求・解除要求送信部３５は、内線番号取得部３３から受け取った内線番号をペアリング番号としてペアリング番号記憶部３６に登録する（Ｓ５７）。
【００８５】
また、ペアリング操作受付部３４は、マンマシンインターフェース部３１を介してユーザからペアリング解除要求操作を受け付けると（Ｓ５８でＹＥＳ）、その旨をペアリング要求・解除要求送信部３５に知らせる。これを受けて、ペアリング要求・解除要求送信部３５は、ペアリング番号記憶部３６にペアリング番号が登録されているか否かを調べる（Ｓ５９）。ペアリング番号が登録されていない場合は（Ｓ５９でＮＯ）、ペアリング解除の対象となる内線電話機２が存在しない旨をマンマシンインターフェース部３１に表示するなどのエラー処理を実施する（Ｓ６０）。
【００８６】
一方、ペアリング番号が登録されている場合（Ｓ５９でＹＥＳ）、ペアリング要求・解除要求送信部３５は、ペアリング番号記憶部３６に記憶されているペアリング番号（内線番号）および自情報端末３の端末ＩＤの指定を伴うペアリング解除要求を生成し、このペアリング解除要求を、ＬＡＮインターフェース部３０を介して主装置１に送信する（Ｓ６１）。それから、ペアリング要求・解除要求送信部３５は、ペアリング番号記憶部３６からペアリング番号を削除する（Ｓ６２）。
【００８７】
また、着信通知受信部３７は、ＬＡＮインターフェース部３０を介して主装置１から着信通知メッセージを受信すると（Ｓ６３でＹＥＳ）、この着信通知メッセージに含まれている発信先番号およびユーザ名を着信通知表示部３８に渡す。これを受けて、着信通知表示部３８は、着信通知受信部３７から受け取ったユーザ名を宛先とする電話呼が、着信通知受信部３７から受け取った発信先番号に着信中であることを知らせる着信通知を、マンマシンインターフェース部３１に表示させる（Ｓ６４）。
【００８８】
以上、本発明の一実施の形態を説明した。
【００８９】
本実施の形態では、主装置１に、この主装置１が収容する内線電話機２に紐付けられた一以上の情報端末３のアドレス情報を記憶しておく。そして、主装置１は、いずれかの内線電話機２を発信先とし、通話相手の指定を伴う接続要求を受信したならば、この内線電話機２に紐付けられている各情報端末３に、この内線電話機２の内線番号および通話相手の情報を含む着信通知メッセージを送信する。これにより、これらの情報端末３に、着信通知メッセージに含まれている情報により特定される通話相手に対する電話呼が、着信通知メッセージに含まれている内線番号により特定される内線電話機２に着信中であることを知らせる。したがって、本実施の形態によれば、ユーザが、内線電話機２から離れた場所にいる場合でも、その内線電話機２への着信が誰宛の着信であるかを確認することができる。
【００９０】
また、本実施の形態において、主装置１は、情報端末３より受信したペアリング要求およびペアリング解除要求に従い、この要求で指定されている内線電話機２と要求元の情報端末３との紐付けおよびその解除を実施する。このように、内線電話機２と情報端末３との紐付けおよびその解除を情報端末３から実施することができるので、例えば、会議室に集まった各ユーザが、会議中だけ、自身の情報端末３を会議室の内線電話機２に紐付けて、会議室の内線電話機２への着信が誰宛であるかを自身の情報端末３で確認することが可能となり、内線電話システムの使い勝手が向上する。
【００９１】
なお、本発明は上記の実施の形態に限定されるものではなく、その要旨の範囲内で数々の変形が可能である。
【００９２】
例えば、上記の実施の形態において、情報端末３は、近距離無線通信により内線電話機２から内線番号を取得して、この内線番号の指定を伴うペアリング要求を主装置１に送信している。しかし、本発明はこれに限定されない。マンマシンインターフェース部３１を介してユーザより内線番号を受け付けて、この内線番号の指定を伴うペアリング要求を主装置１に送信してもよい。
【００９３】
また、上記の実施の形態では、情報端末３から主装置１にペアリング要求およびペアリング解除要求を送信しているが、内線電話機２から主装置１にペアリング要求およびペアリング解除要求を送信するようにしてもよい。この場合、内線電話機２は、例えば、近距離無線通信等により情報端末３からアドレス情報を取得する。そして、自内線電話機２の内線番号および情報端末３のアドレス情報の指定を含むペアリング要求およびペアリング解除要求を送信する。
【００９４】
また、上記の実施の形態においては、接続要求の発信先の内線電話機２を鳴動させているが、ユーザの設定により、接続要求の発信先の内線電話機２を鳴動させないようにしてもよい。例えば、内線電話機２の鳴動音により会議等の進行を妨げることなく、自身宛ての着信であることを情報端末３により確認したユーザあるいはこのユーザの代理をすべきユーザが内線電話機２に応答することができる。
【００９５】
また、上記の実施の形態においては、接続要求には発信先番号および通話相手のユーザ情報が含まれているが、接続要求にさらに発信元ユーザのユーザ情報を含め、情報端末３に表示される着信通知メッセージに発信元ユーザのユーザ情報が含まれるようにしてもよい。この場合、情報端末３が、ユーザから消去指示を受け付けるまで着信通知メッセージの表示を継続する、あるいは、着信通知メッセージを着信履歴として保持するようにすれば、通話相手として指定されたユーザは、例えばプレゼンテーション中等であったために着信に応答できなくても、発信元ユーザを認識することができる。
【００９６】
また、上記の各実施の形態において、図４、図９、および図１２にそれぞれ示した主装置１、内線電話機２、および情報端末３の機能構成は、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）などの集積ロジックＩＣによりハード的に実現されるものでもよいし、あるいはＤＳＰ（Ｄｉｇｉｔａｌ  Ｓｉｇｎａｌ  Ｐｒｏｃｅｓｓｏｒ）などの計算機によりソフトウエア的に実現されるものでもよい。または、ＣＰＵ、メモリ、ＨＤＤ、ＤＶＤ−ＲＯＭ等の補助記憶装置、およびＮＩＣ（Ｎｅｔｗｏｒｋ  Ｉｎｔｅｒｆａｃｅ  Ｃａｒｄ）、無線ＬＡＮアダプタ等の通信装置を備えたＰＣ（Ｐｅｒｓｏｎａｌ  Ｃｏｍｐｕｔｅｒ）、ＰＤＡ（Ｐｅｒｓｏｎａｌ  Ｄｉｇｉｔａｌ  Ａｓｓｉｓｔａｎｔ）、スマートホン等の汎用コンピュータにおいて、ＣＰＵが所定のプログラムを補助記憶装置からメモリ上にロードして実行することで実現されるものでもよい。
【符号の説明】
【００９７】
１：主装置、  ２、２−１、２−２：内線電話機、  ３、３−１〜３−３：情報端末、  ４：無線アクセスポイント、  ５：ＬＡＮ、  ６：ＩＰ電話網、  １０、２０、３０：ＬＡＮインターフェース部、  １１：ＩＰ電話網インターフェース部、  １２：呼制御部、  １３、２３：ユーザ情報記憶部、  １４：ペアリング情報記憶部、  １５：ペアリング要求・解除要求受信部、  １６：ペアリング登録処理部、  １７：着信通知処理部、  ２１、３１：マンマシンインターフェース部、  ２２：電話帳データ記憶部、  ２４：内線電話処理部、  ２５、３２：近距離無線通信部、  ２６：番号情報抽出部、  ２７：番号通知部、  ３３：内線番号取得部、  ３４：ペアリング操作受付部、  ３５：ペアリング要求・解除要求送信部、  ３６：ペアリング番号記憶部、  ３７：着信通知受信部、  ３８：着信通知表示部
【図１】
0006464883.tif 000002
【図２】
0006464883.tif 000003
【図３】
0006464883.tif 000004
【図４】
0006464883.tif 000005
【図５】
0006464883.tif 000006
【図６】
0006464883.tif 000007
【図７】
0006464883.tif 000008
【図８】
0006464883.tif 000009
【図９】
0006464883.tif 000010
【図１０】
0006464883.tif 000011
【図１１】
0006464883.tif 000012
【図１２】
0006464883.tif 000013
【図１３】
0006464883.tif 000014